(57)【要約】      （修正有）【課題】いつでもどこでも排出でき、使用前後に煩雑な調整を必要としない車椅子型の脱ぎはき不要な糞便自動クリーンアップ装置を提供する。【解決手段】車椅子には完全自動処理器２と自己適応パンツ３とが設けられ、完全自動処理器は排出通路、排泄物収集装置２１、負圧装置２２、正圧装置２３、温水装置２４、熱風装置２５及び制御装置２６を有し、自己適応パンツは股間に排泄物収集エリアが設けられ、排泄物収集エリア内には排泄口、ガス注入管、温水出力管及び熱風出力管が設けられ、排出通路の入り口は排泄物収集エリアの排泄口と接続し、排出通路の出口は排泄物収集装置と接続し、排泄物収集装置は負圧装置と接続され、正圧装置、温水装置及び熱風装置はそれぞれ管路を通じて排泄物収集エリア内のガス注入管、温水出力管及び熱風出力管に対応して接続されている。【選択図】図１
0003184354.tif 000002
【実用新案登録請求の範囲】
【請求項１】
完全自動処理器と柔軟な織物からなる自己適応パンツとが設けられた車椅子を備え、
前記完全自動処理器は排出通路、排泄物収集装置、負圧装置、正圧装置、温水装置、熱風装置及び制御装置を有し、
前記自己適応パンツは股間に排泄物収集エリアが設けられ、前記排泄物収集エリア内には人体の排泄部位に対応する排泄口、ガス注入管、温水出力管及び熱風出力管が設けられ、
前記排出通路は入り口と出口とを有し、前記排出通路の入り口は前記排泄物収集エリアの前記排泄口と接続し、前記排出通路の出口は前記排泄物収集装置と接続し、前記排泄物収集装置は前記負圧装置と接続され、
前記正圧装置、前記温水装置及び前記熱風装置はそれぞれ管路を通じて前記排泄物収集エリア内の前記ガス注入管、前記温水出力管及び前記熱風出力管に対応して接続され、
前記制御装置は前記完全自動処理器と前記自己適応パンツの動作を制御することを特徴とする車椅子型の脱ぎはき不要な糞便自動クリーンアップ装置。
【請求項２】
前記車椅子のクッションには前記自己適応パンツにおける前記排泄口と対応する排泄口が設けられ、
前記負圧装置、前記正圧装置、前記温水装置及び前記熱風装置は前記車椅子のシートバックに設置され、
前記排泄物収集装置は前記車椅子のクッションの下部に設置されていることを特徴とする請求項1に記載の車椅子型の脱ぎはき不要な糞便自動クリーンアップ装置。
【請求項３】
前記クッションにおける前記排泄口には開閉できるカバーが設けられ、前記制御装置は前記カバーの動作を制御することを特徴とする請求項2に記載の車椅子型の脱ぎはき不要な糞便自動クリーンアップ装置。
【請求項４】
前記排泄物収集装置は分離できるように前記車椅子とフレキシブル接続されていることを特徴とする請求項1又は2に記載の車椅子型の脱ぎはき不要な糞便自動クリーンアップ装置。
【請求項５】
前記排泄物収集装置は、密封したキャビティを具備する排泄物の容器を有し、前記キャビティは隔壁によって排泄物収集腔と負圧室に分けられ、前記隔壁には前記排泄物収集腔と前記負圧室とを連通する通気孔が設けられ、
前記排泄物の容器には前記排泄物収集腔と前記負圧室とに対応しずらして設置された開口が設けられ、
前記排泄物収集腔の前記開口と前記排出通路の前記出口とは連通し、前記負圧室の前記開口と前記負圧装置とは連通することを特徴とする請求項4に記載の車椅子型の脱ぎはき不要な糞便自動クリーンアップ装置。
【請求項６】
前記自己適応パンツの前記排泄物収集エリアの後方の内面にはお尻突起が設けられていることを特徴とする請求項1又は2に記載の車椅子型の脱ぎはき不要な糞便自動クリーンアップ装置。
【請求項７】
前記自己適応パンツの前記排泄物収集エリアの前方の外面にはチューブが設けられ、前記ガス注入管、前記温水出力管及び前記熱風出力管はそれぞれ前記チューブ内に設置されていることを特徴とする請求項6に記載の車椅子型の脱ぎはき不要な糞便自動クリーンアップ装置。
【請求項８】
前記自己適応パンツの側面には互いに合わせる貼り付け部材が設けられ、前記自己適応パンツの前記排泄口には前記排出通路の入り口と合わせるクイックコネクタが設けられていることを特徴とする請求項7に記載の車椅子型の脱ぎはき不要な糞便自動クリーンアップ装置。
【請求項９】
前記自己適応パンツのウエストラインとチューブ口にはそれぞれガス注入型シールリングが設けられ、前記ガス注入型シールリングには管路を通じてガス注入装置が接続されていることを特徴とする請求項8に記載の車椅子型の脱ぎはき不要な糞便自動クリーンアップ装置。
【請求項１０】
前記制御装置は、反転して折り畳まれるように前記車椅子とフレキシブル接続されるヒューマンコンピュータインタラクションユニットを備えることを特徴とする請求項1又は3に記載の車椅子型の脱ぎはき不要な糞便自動クリーンアップ装置。
【考案の詳細な説明】
【技術分野】
【０００１】
本考案は、個人用とホーム用の衛生機器分野に関し、具体的には行動の不便な人に対して設計した車椅子型の脱ぎはき不要な糞便自動クリーンアップ装置に関する。
【背景技術】
【０００２】
近年、市場では、主に行動の不便な人に対して設計し、行動の不便な人の大小便を自動的にクリーンアップする役割を果たす大小便自動処理システムが出現し、一般的には大小便自動処理機及び大小便自動処理機の使用をサポートする便器を備える。該大小便自動処理機には一般的に汚物箱、負圧装置、温水装置、熱風装置及び制御装置が設けられ、該汚物箱は人体から排出する大小便を収容し、該汚物箱にはバルブを通じて大小便の容器が接続されており、該大小便の容器は該汚物箱内に排出された大小便に対してパッキング処理を行うのに用いられる。該便器には一般的に排泄物収集エリア、温水出力管及び熱風出力管が設けられ、該排泄物収集エリアにはまた大小便の排泄口が設けられており、該大小便の排泄口には大小便の排出通路が接続されている。該大小便の排出通路は負圧装置によって該汚物箱と接続され、負圧によって大小便を該汚物箱内に吸い込み、該温水出力管は温水管を通じて温水装置と接続してユーザーの大便部位と小便部位を洗浄し、該熱風出力管は熱風管を通じて熱風装置と接続してユーザーの大便部位と小便部位を乾燥する。該制御装置は起動/停止スイッチが設置されているヒューマンコンピュータインタラクションインタフェースを備え、勿論、具体的に実施するに際して該制御装置にリモコンを配置して起動/停止の制御を行ってもよい。
【０００３】
しかし、従来の大小便自動処理機と一緒に使用する便器の共通の特徴は、行動の不便な人が大小便をしようとするとき、必ずユーザーがセルフケア能力を有し或いは看護師が上記各種類の便器を大小便の排泄部位に装着し、排便が終わった後はまた看護師によって取り外さなければならない。他人の助けがなくては、自動的に且つインテリジェントに大小便をすることが実現できず、特に従来の便器の作業方式、使用する材料と構造面の原因によって、長い時間において人体と接触することができず、機械的な伝動機構によって大小便の排泄部位から除去し或いは看護師が人工的に除去することしかできないので、とても面倒である。且つ、行動の不便な人が外出したとき、いつでもどこでも便器を使用することができず、ユーザーの出行が大幅に制限された。
【考案の開示】
【考案が解決しようとする課題】
【０００４】
本考案は、前述の課題に鑑みてなされたもので、ユーザーが外出したとき、いつでもどこでも排泄することができ、活動の範囲を大幅に広がり、使用前後に煩雑な調整を行う必要のない車椅子型の脱ぎはき不要な糞便自動クリーンアップ装置を提供することにその目的があり、脱ぎはき不要な自動クリーンアップ方式は便利で、ユーザーが排泄しクリーニングするとき他人が助ける必要がなくなる。
【課題を解決するための手段】
【０００５】
本考案は、前述課題を解決するために以下の構成を採用した。
本考案の車椅子型の脱ぎはき不要な糞便自動クリーンアップ装置は、完全自動処理器と柔軟な織物からなる自己適応パンツとが設けられた車椅子を備え、前記完全自動処理器は排出通路、排泄物収集装置、負圧装置、正圧装置、温水装置、熱風装置及び制御装置を有し、前記自己適応パンツは股間に排泄物収集エリアが設けられ、前記排泄物収集エリア内には人体の排泄部位に対応する排泄口、ガス注入管、温水出力管及び熱風出力管が設けられ、前記排出通路は入り口と出口とを有し、前記排出通路の入り口は前記排泄物収集エリアの前記排泄口と接続し、前記排出通路の出口は前記排泄物収集装置と接続し、前記排泄物収集装置は前記負圧装置と接続され、前記正圧装置、前記温水装置及び前記熱風装置はそれぞれ管路を通じて前記排泄物収集エリア内の前記ガス注入管、前記温水出力管及び前記熱風出力管に対応して接続され、前記制御装置は前記完全自動処理器と前記自己適応パンツの動作を制御する。
【０００６】
前記車椅子のクッションには前記自己適応パンツにおける前記排泄口と対応する排泄口が設けられ、前記負圧装置、前記正圧装置、前記温水装置及び前記熱風装置は前記車椅子のシートバックに設置され、前記排泄物収集装置は前記車椅子のクッションの下部に設置されている。
【０００７】
前記クッションにおける前記排泄口には開閉できるカバーが設けられ、前記制御装置は前記カバーの動作を制御する。
【０００８】
前記排泄物収集装置は分離できるように前記車椅子とフレキシブル接続されている。
【０００９】
前記排泄物収集装置は、密封したキャビティを具備する排泄物の容器を有し、前記キャビティは隔壁によって排泄物収集腔と負圧室に分けられ、前記隔壁には前記排泄物収集腔と前記負圧室とを連通する通気孔が設けられ、前記排泄物の容器には前記排泄物収集腔と前記負圧室とに対応しずらして設置された開口が設けられ、前記排泄物収集腔の前記開口と前記排出通路の前記出口とは連通し、前記負圧室の前記開口と前記負圧装置とは連通する。
【００１０】
前記自己適応パンツの前記排泄物収集エリアの後方の内面にはお尻突起が設けられている。
【００１１】
前記自己適応パンツの前記排泄物収集エリアの前方の外面にはチューブが設けられ、前記ガス注入管、前記温水出力管及び前記熱風出力管はそれぞれ前記チューブ内に設置されている。
【００１２】
前記自己適応パンツの側面には互いに合わせる貼り付け部材が設けられ、前記自己適応パンツの前記排泄口には前記排出通路の入り口と合わせるクイックコネクタが設けられている。
【００１３】
前記自己適応パンツのウエストラインとチューブ口にはそれぞれガス注入型シールリングが設けられ、前記ガス注入型シールリングには管路を通じてガス注入装置が接続されている。
【００１４】
前記制御装置は、反転して折り畳まれるように前記車椅子とフレキシブル接続されるヒューマンコンピュータインタラクションユニットを備える。
【考案の効果】
【００１５】
上記構造に従って、本考案に係る車椅子型の脱ぎはき不要な糞便自動クリーンアップ装置は、以下の有益な効果を有する。
一、ユーザーは自己適応なパンツとズボンを着て車椅子に坐り、セルフ操作するか或いは他人が車椅子を操作して自由に活動することができるので、ユーザーの活動空間が大幅に広がった。排泄する時、自己適応パンツの排出通路はズボン股間の開口を通過して排泄物収集装置と連通し、そうしてユーザーはただ車椅子に坐って制御装置を起動することで、排便し自動的にクリーンアップする全のプロセスを行うことができ、自己適応パンツとズボンを脱ぐ必要がないので、使用前後の煩雑な調整も不要になり、看護師の人体の排泄部位に対する煩雑なクリーニング過程も不要になった。人体から排泄した大小便は排泄物収集装置に洗浄された後、看護師はただ排泄物収集装置内の大小便及び汚水を処理すればよいので、看護師の作業環境を大幅に改善して、看護作業が便利になった。柔軟な織物を採用して製造された自己適応パンツを便器とし、自己適応パンツに対して適切な設計を行い、これらのパンツ型の便器は、従来の便器が有する各々の機能を有するに加えて、柔らかくて快適で、長い時間においてユーザーの身につけることができ、快適性、身につける過程及び洗濯の時間、方法は普通のパンツと本質的に差がないので、ユーザーが大小便をするとき他の人が助けて便器を脱いだりはいたりする必要がなく、いつでも自分で人体排泄物クリーンアップ装置を起動して排便し、使用が便利である。熱風で乾燥するとき、自己適応パンツで産生した湿気は負圧装置によって排泄物収集装置に吸い込んで乾燥時間を短縮し、且つ湿気が人体を通じて除外することがほぼないので、湿気を排出する不便を解決し、省エネルギー化且つ人体の快適性を向上させる役割を果たす。
【００１６】
二、自己適応パンツは、排泄物収集エリアの後方の内面にお尻突起が設けられ、ユーザーが自己適応パンツを着て坐ると、お尻突起はお尻の間に挿入されて、左右2つのお尻を両側に開けて、排泄の準備をする。排泄物収集エリアの前方の外面にはチューブが設けられ、排泄口にはクイックコネクタが設けられており、チューブとクイックコネクタはそれぞれ管路を通じて完全自動処理器の対応する管路と接続したので、排泄とクリーンアップの自動処理プロセスを完成することができ、使用前後で医療従事者が煩雑な調整を行う必要がなく、使用が便利である。且つ、自己適応パンツの構造は簡単で合理的であり、チューブは自己適応パンツの外面に設けられているため、人体に対して不快感を与えないとともに、普通のパンツと同じに薄い自己適応パンツに製造することができるので、着用すると更に快適である。
【００１７】
三、自己適応パンツは、脱ぎはきが容易するように、側面を開く或いは閉じることができるフレキシブルタイプパンツを採用することができる。自己適応パンツの排泄口の外面にはクイックコネクタが設けられており、構造が簡単で合理的であり、ユーザーは長い時間において自己適応パンツを身につけることができ、クイックコネクタはズボンの股間の開口を通過して排出通路の入り口に挿入し、排泄しクリーンアップするときより優れたシール接続を形成するだけでなく、脱ぎはき等の煩雑の調整過程も不要で、ユーザーの不便な感覚を軽減し、使用がとても便利である。
【図面の簡単な説明】
【００１８】
【図１】本考案における車椅子型の脱ぎはき不要な糞便自動クリーンアップ装置を示した模式的な斜視図のその一であり、
【図２】本考案における車椅子型の脱ぎはき不要な糞便自動クリーンアップ装置を示した模式的な斜視図のその二であり、
【図３】排泄物収集装置を示した模式的な構造図であり、
【図４】排泄物収集装置の筐体を示した模式的な構造図であり、
【図５】負圧装置、温水装置及び熱風装置を示した模式的な構造図であり、
【図６】自己適応パンツのパンツ本体を示した模式的な展開図であり、
【図７】パンツ本体における排泄物収集エリアの平面図であり、
【図８】パンツ本体上の排泄物収集エリアの左側図であり、
【図９】自己適応パンツの第1の実施例を示した模式的な構造図であり、
【図１０】自己適応パンツの第2の実施例を示した模式的な構造図であり、
【図１１】本考案における車椅子型の脱ぎはき不要な糞便自動クリーンアップ装置の全体的な制御原理を示した模式図であり、
【図１２】本考案における車椅子型の脱ぎはき不要な糞便自動クリーンアップ装置が小便の処理を行うプロセスを示した模式図であり、
【図１３】本考案における車椅子型の脱ぎはき不要な糞便自動クリーンアップ装置が大便の処理を行うプロセスを示した模式図である。
【考案を実施するための形態】
【００１９】
以下に、本考案の技術内容を更に解釈するために、具体的な実施例によって本考案を詳しく説明する。
【００２０】
図1-13に示すように、本考案における車椅子型の脱ぎはき不要な糞便自動クリーンアップ装置は車椅子1、完全自動処理器2及び自己適応パンツ3を備える。
【００２１】
車椅子1はクッション11とシートバック12を有し、クッション11には排泄口111が設けられ、排泄口111には開閉できるカバーが設けられており、後述する制御装置26によってそれらの動作を制御し、使用しているか否かの状態によって自動的に開いたり閉じたりして、臭気の流れ出しを防ぐ。車椅子1は主に完全自動処理器2及び自己適応パンツ3と一緒に使用し、車椅子1の他の構造は従来の車椅子と同じであるため、ここで繰り返して説明しない。
【００２２】
完全自動処理器2は排泄物収集装置21、負圧装置22、正圧装置23、温水装置24、熱風装置25及び制御装置26を備える。排泄物収集装置21はクッション11の下部に設けられ、負圧装置22、正圧装置23、温水装置24及び熱風装置25はシートバック12の後面に設けられている。
【００２３】
排泄物収集装置21は排泄物の容器210及び排出通路213を備え、排泄物の容器210はカバーパネル211及び筐体212を備える。筐体212は隔壁214によって排泄物収集腔215と負圧室216に分離されたキャビティを備え、隔壁214には排泄物収集腔215と負圧室216を連通させる通気孔217が設けられている。カバーパネル211と筐体212は密封して接合され、カバーパネル211には排泄物収集腔215に対応して排泄口218が設けられ、排泄口218はクイックコネクタを通じて排出通路213の出口のクイックコネクタとフレキシブル接続を形成し、排出通路213の入り口にはクイックコネクタ341'が設けられており、クイックコネクタ341'は自己適応パンツ3における排泄口34のクイックコネクタ341とフレキシブル接続を形成して、便利に排泄物の容器210を取り外してクリーンアップする。負圧室216の左側腔壁の比較的に高いところには開口が設けられ、該開口にはクイックコネクタ219が設けられており、クイックコネクタ219の負圧室216内に位置するポート部は下向きに曲げられて、クイックコネクタ219の負圧室216外に位置するポート部が負圧室216内のポート部より高いように、ずらして設置されている。クイックコネクタ219は負圧装置22のポート部に設置したクイックコネクタと接続される。勿論、クイックコネクタ219は負圧室216の前後両側の腔壁に設置しても良いし、その具体的な取り付け位置は負圧装置22のポート部によって決定する。排泄物の容器210は係合或いはスライド方式で車椅子1とフレキシブル接続し、排泄物の容器210は排出通路213を通じて自己適応パンツ3と接続されて、人体から排出した大小便を受け取り、勿論それはまた温水装置24のユーザーの大小便部位を洗浄した後の汚水も受け取る。ユーザーが排泄を完成した後、排泄物の容器210を車椅子1から取り外してクリーンアップし、カバーパネル211及び筐体212の内壁には、クリーニングしやすいように防粘着材料が一層メッキされている。
【００２４】
負圧装置22は真空ポンプを備え、該真空ポンプは管路を通じて排泄物収集装置21と接続され、負圧を産生する役割を果たして、人体から排出した大小便を排泄物収集装置21に吸い込む。排泄物収集装置21と自己適応パンツ3とを連通する管路、及び排泄物収集装置21と負圧装置22とを連通する管路はずらして設置されて、自己適応パンツ3中の大小便が直接に負圧装置22に吸い込まれることを避ける。本実施例において、自己適応パンツ3は排泄口34、排出通路213、カバーパネル211における排泄口218を通じて排泄物の容器210の排泄物収集腔215と接続し、負圧装置22はその管路が排泄物の容器210の側面の開口を通じて負圧室216と接続される。
【００２５】
負圧装置22の1つの具体的な実施方式として、負圧装置22は真空ポンプ221と排気フィルターを備え、真空ポンプ221は管路を通じて排泄物収集装置21と接続し、該排気フィルターは真空ポンプ221と排泄物収集装置21との間に設置されている。真空ポンプ221の負圧作用によって、自己適応パンツ3中の汚物を排泄物収集装置21に吸い込む。
【００２６】
正圧装置23は管路を通じて自己適応パンツ3と接続し、正圧を産生し、自己適応パンツ3における排泄物収集エリア33を広げて、負圧装置22がスムーズに汚物を排泄物収集装置21に吸い込みできるようにする。具体的には、正圧装置23の1つの好ましい実施方式として、正圧装置23はエアポンプ、エアフィルター、圧力センサー、電子制御圧力リリーフバルブ及び逆止めバルブを含み、エアポンプは該エアフィルターを通じて大気と接触して、該空気の清潔度を確保する。該逆止めバルブはエアポンプと自己適応パンツ3との間の管路に設置されて、自己適応パンツ3の中の気圧を維持する。該電子制御圧力リリーフバルブ及び圧力センサーはいずれも自己適応パンツ3の中に設置され、該電子制御圧力リリーフバルブは制御装置26と接続し該制御装置26によって制御され、車椅子型の脱ぎはき不要な糞便自動クリーンアップ装置を使用済むと、該電子制御圧力リリーフバルブはすぐに自己適応パンツ3の気圧を解放し、該圧力センサーは過圧保護の役割を果たす。
【００２７】
温水装置24は管路を通じて自己適応パンツ3における温水出力管と接続し、ユーザーの大小便部位を洗浄する水流を産生する。温水装置24から流れ出した水流はユーザーの大小便部位を洗浄した後、直接に排出通路213を経由して排泄物収集装置21の排泄物収集腔215に流れ込み、即ち温水装置24と自己適応パンツ3との接続部位は比較的に高いところに位置するべきで、本実施例においては、温水装置24は車椅子1のシートバック12において高いところに設置され、その具体的な設置位置は実際の必要によって調整し、ここで詳しく説明しない。
【００２８】
排泄物収集装置21も清潔度を持たせることができるように、温水装置24はまた該揚水ポンプと自己適応パンツ3との間の管路に設置された洗浄転向バルブを備え、該洗浄転向バルブは管路を通じて排泄物収集装置21と接続される。このようにして、洗浄転向バルブの作用によって、排泄物収集装置21を洗浄することができて、その清潔度を向上させ、細菌の増殖を避ける。
【００２９】
温水装置24の1つの具体的な実施方式として、温水装置24は水槽、揚水ポンプ、ヒーター及び温度センサーを備え、該揚水ポンプ、ヒーター及び温度センサーは何れも水槽の中に設置され、該ヒーターは水槽中の水に対して加熱し、温度センサーを一緒に使用することで、該ヒーターが水槽の温度を一定に維持するようにし、該揚水ポンプは管路を通じて自己適応パンツ3の温水出力管と接続される。好ましいのは、該水槽は2つ即ち1つの大きな水槽と1つの小さな水槽を設置することができ、該大きな水槽は消毒剤の加入した水を貯蔵し、該ヒーター、温度センサー及び揚水ポンプ等は何れも小さな水槽に設けられて、該ヒーターは必要によってただ小さな水槽の温度を維持すればよいので、エネルギー損失を低減した。勿論、該大きな水槽内には大きな水槽の水位を監視するための液位センサーを設置することができ、水位が下限以下になるとアラームして提示する。
【００３０】
熱風装置25は管路を通じて自己適応パンツ3と接続し、ユーザーの大小便部位を乾燥する気流を産生する。具体的には、熱風装置25が産生した気流はユーザーの大小便部位を乾燥した後、負圧装置22を経由して排出される。
【００３１】
熱風装置25の1つの具体的な実施方式として、熱風装置25は熱交換器とエアポンプを備え、該エアポンプは管路を通じて自己適応パンツ3における熱風出力管と接続し、該熱交換器は該エアポンプと自己適応パンツ3との間の管路に設置されている。
【００３２】
制御装置26は負圧装置22、正圧装置23、温水装置24及び熱風装置25と接続してそれら間の協調動作を制御し、即ち各装置間の動作順番を制御し、勿論必要によって制御装置26に無線リモートコントロールユニットを設置して、無線的に車椅子型の脱ぎはき不要な糞便自動クリーンアップ装置をオープン/オフすることを実現することもでき、隣のマシンとの干渉を避けるために、該リモートコントロール信号は二重コーティング方式を採用する。勿論、制御装置26が各装置の状況を読み出されるようにするために、制御装置26にはA/DとD/A変換ユニットが内蔵され、これによってアナログ-デジタル変換及びデジタル-アナログ変換を行い、必要であると車椅子1の手すりにヒューマンコンピュータインタラクションユニット261を設置して、図2に示すように、マシン制御パラメーターの設定と変更、動作モード設定、現在の動作状態の表示及び手動制御ボタンを提供する等の機能を実現し、具体的には、ヒューマンコンピュータインタラクションユニット261はタッチスクリーン付きのLCDディスプレイを採用し、このようにしてユーザーは手動的に操作することができる。留意すべきことは、本考案で採用した管路は何れもシリカゲルチューブ又はエマルジョンチューブ等の材質からなることができ、該管路と自己適応パンツ3との間にはまたクイックコネクタと使用して着脱時の利便性を高めることができる。
【００３３】
そうして、本考案にかかる車椅子型の脱ぎはき不要な糞便自動クリーンアップ装置は、制御装置26の制御によって整然に以下のようなプロセスを循環に実行する。先ず、ユーザーが便利に排泄するように、正圧装置23によって自己適応パンツ3における排泄物収集エリア33を広げ、負圧装置22によってユーザーが排出した大小便を排泄物収集装置21の排泄物収集腔215に吸い込む。次に、温水装置24によって水流を噴射してユーザーの大小便部位を洗浄し、また熱風装置25が産生した気流を利用してユーザーの大小便部位を乾燥し、その後排泄物収集装置21の排泄物の容器210を取り出し、看護師がただ排泄物の容器210に対してクリーニング処理を行うとよいので、本考案は看護師が排泄物収集装置21をクリーニングする時の作業環境を大幅に改善して、容易に看護動作を実行することができる。且つ、熱風で乾燥する時、自己適応パンツ3において産生した湿気は負圧装置22によって排泄物収集装置21に吸い込まれる。これによって乾燥時間を短縮し、且つ湿気が人体を通じて除外されることがほぼないので、湿気排出の不便を解決した。省エネルギー化且つ人体の快適性を向上させる役割を果たす。
【００３４】
自己適応パンツ3の主体はパンツ本体30であり、図6に示すように、パンツ本体の織物は一般的な普通の織物、例えば綿、ポリエステル、ナイロン、スパンデックス、ライクラ、糸、Modal（モダール）等から製造される。本実施例において、パンツ本体30は紙おむつ構造と類似なフレキシブルタイプパンツであり、その前部分31と後部分32の両側面にはそれぞれ対応する貼り付け部材38,38'が設けられており、前部分31と後部分32が接着すると三角又は平角のパンツ本体30を形成する。好ましい実施方式として、パンツ本体30は純綿織物を採用し、自然な加工を経て、防水及び通気性能を有する。
【００３５】
パンツ本体30は股間において大小便の排泄口に近くところに排泄物収集エリア33が設置され、図6に示すように、排泄物収集エリア33の4つの隅は丸い或いは楕円形であるので、身につけるとより快適である。排泄物収集エリア33の他の1つの実施例として、図7-8に示すように、排泄物収集エリア33はお尻と対応する楕円形を有し、その面積は後ろから前に徐々に狭くなり、排泄物収集エリア33の内面は人体と適合するために滑らかな曲面を有する。排泄物収集エリア33は後方の内面に軟質ゴム製のお尻突起331が設けられ、お尻突起331は三角形の突起であり、各エッジは滑らかで柔らかい。ユーザーが自己適応パンツ3を着て坐ると、お尻突起331はお尻の間に介在されて、左右2つのお尻を両側に開けて、排泄の準備をする。排泄物収集エリア33は前部に凹面のスロットホーム332が設けられ、スロットホーム332において且つパンツ本体30の外面にはチューブ333が設けられ、チューブ333内には4つのスルーホールが設けられており、各スルーホールはそれぞれ大小便完全自動処理機における正圧装置、消毒洗浄液、温水装置及び熱風装置の対応する管路と接続される。このようにして、チューブ333内から噴射された水流はクリーニングした後、周囲に広がることではなく、スロットホーム332を沿って速く集まって排泄口34内に流れ込む。チューブ333はパンツ本体30の外面に位置する入り口334、及びパンツ本体30の内面に位置する出口335を有する。入り口334の外面には正圧装置23、消毒洗浄液、温水装置24及び熱風装置25等と速いで緊密な接続を形成するリング階段スロットホームがいくつ設けられている。出口335内の上記4つの出口はそれぞれ人体排泄部位と対応して設置される。
【００３６】
排泄物収集エリア33の底部には排泄口34が設置され、排泄口34には排出通路213の入り口と合わせるクイックコネクタ341が設置され、クイックコネクタ341はクッション11上の排泄口111を通過して排出通路213の入り口に挿入される。勿論、排出通路213の入り口とクッション11における排泄口111をフレキシブル接続型に設置してもよい。クイックコネクタ341はシリカゲルチューブ又はエマルジョンチューブ等の軟質材料からなり、柔軟性がよく快適性が高く、人体と接触した時感覚が明らかくないので、ユーザーが車椅子1を離れて横たわる或いは坐る時、人体にほぼ影響を与えず、なおクイックコネクタ341は錐形、錐台形、円形、楕円形、多角形等の形状に構成されることができる。
【００３７】
排出通路213はシリカゲルチューブ又はエマルジョンチューブ等の軟質材料を採用して製造された粗ホースであり、該粗ホースは長い時間において自己適応パンツと接続することができ、柔軟性がよく快適性が高く、人体と接触した時感覚が明らかくないので、人体にほぼ影響を与えず、なお排出通路213の入り口にはクイックコネクタ341と相応な他のクイックコネクタ341'が設けられており、クイックコネクタ341とクイックコネクタ341'は速く接合することができるので、排泄物収集エリア33を順次に排泄口34と排出通路213を通過させて排泄物の容器210の排泄物収集腔215と連通させる。
【００３８】
自己適応パンツ3には2つの実施例があり、第1の実施例において、図9に示すように、パンツ本体30内にはまたガス注入管35、温水出力管及び熱風出力管が設けられ、該温水出力管は小便スプレーパイプ36と大便スプレーパイプ36'を有し、該熱風出力管は小便熱風管37と大便熱風管37'を有する。ガス注入管35、小便スプレーパイプ36、大便スプレーパイプ36'、小便熱風管37及び大便熱風管37'はシリカゲルチューブ、エマルジョンチューブ等の軟質材料を採用して製造された細ホースである。
【００３９】
ガス注入管35の出口はパンツ本体30内に位置し、ガス注入管35の入り口はパンツ本体30のチューブ口からパンツ本体30の外部に伸ばし、管路を通じて正圧装置23の空気出口と接することができる。
【００４０】
小便スプレーパイプ36、大便スプレーパイプ36'、小便熱風管37及び大便熱風管37'の出口はそれぞれパンツ本体30内の相応な位置まで延ばし、即ち大便排泄口の位置に対応し或いは小便排泄口の位置に対応する。小便スプレーパイプ36、大便スプレーパイプ36'、小便熱風管37及び大便熱風管37'の入り口はそれぞれパンツ本体30のチューブ口からパンツ本体30の外部に伸ばし、それぞれ完全自動処理器2の温水装置24、熱風装置25の相応な管路と接続される。
【００４１】
ガス注入管35、小便スプレーパイプ36及び小便熱風管37はパンツ本体30の前部分31に固定して設置され、大便スプレーパイプ36'及び大便熱風管37'はパンツ本体30の後部分32に固定して設置される。パンツ本体30の前部分31及び後部分32に中間層を設置して、ガス注入管35、小便スプレーパイプ36、大便スプレーパイプ36'、小便熱風管37及び大便熱風管37'をそれぞれ相応な中間層の内に設置することもできる。
【００４２】
使用する時、ユーザーは手動或いは無線リモコンによって車椅子型の脱ぎはき不要な糞便自動クリーンアップ装置の実行を起動することもでき、センサーの自動モードを設定して排便することを自動的に検出して車椅子型の脱ぎはき不要な糞便自動クリーンアップ装置を起動することもできる。自己適応パンツ3のクイックコネクタ341はズボン股間の開口を通過して排出通路213内に貫穿して設けられ、制御装置26はクッション11における排泄口111に位置する上記カバーを開き、正圧装置23は先ず気圧を産生し、ガス注入管35を通じてパンツ本体30内に対してガス注入することで、排泄物収集エリア33を展開し落下させて大小便の排泄空間を形成し、このとき車椅子型の脱ぎはき不要な糞便自動クリーンアップ装置は負圧装置22と排出通路213によって排泄口34が負圧を産生させるようにする。大便又は小便を始める時、排出した大便或いは小便はすぐにこの負圧によって排出通路213に吸い込み、最後に排泄物の容器210内に落ち込む。その後、制御装置26は温度が設定された温水の噴射を制御し、温水は小便スプレーパイプ36及び大便スプレーパイプ36'から噴射し、人体の大小便部位を洗浄する。洗浄完了した後、制御装置26は温度が設定された熱風の噴射を制御し、小便熱風管37及び大便熱風管37'を通じて大便部位及び小便部位に向かって熱風を吹き出し、大便部位、小便部位及び全体排泄物収集エリア33に対して乾燥を行い、湿気を携帯した熱風も最後に排出通路213から負圧によって吸出して、湿気循環システムを形成し、人体と自己適応パンツを迅速に乾燥する。
【００４３】
自己適応パンツ3の第2の実施例として、図10に示すように、第1の実施例との区別はパンツ本体の構造が異なることであり、パンツ本体30は一般構造の三角パンツでもあり、四角パンツでもあり得、且つパンツ本体30のウエストラインとチューブ口にはそれぞれシール部材であるガス注入型のシールリング39,39',39"が縫製されている。ガス注入型シールリング39,39',39"は通気できない織物で縫製したリング状構造を有し、さまざまな人体に適応するように、一定程度の伸縮弾力性を具備し、且つガス注入型シールリング39,15,16にはそれぞれガス注入口391,391',391"が設けられ、ガス注入口391,391',391"はそれぞれ管路を通じてガス注入装置と接続される。使用する時、車椅子型の脱ぎはき不要な糞便自動クリーンアップ装置は該ガス注入装置によって正圧気体を産生し、該正圧気体はガス注入口391,391',391"を通じてガス注入型シールリング39,39',39"に対してガスを注入し、ガス注入型シールリング39,39',39"は速く満たせて隆起され、パンツ本体30のウエストラインとチューブ口をクランプして密封し、ガス注入管35がパンツ本体30内にガスを注入して軟質防水の排泄物収集エリア33を排泄空間に展開させる時、パンツ本体30の密封度を向上させて、速く排泄空間を形成することができる。その中で、上記ガス注入装置は正圧装置23或いは熱風装置25を採用することもできるし、正圧装置23又は熱風装置25はそれぞれ管路を通じてガス注入型シールリング39,39',39"と接続される。
【００４４】
本実施例の他の部分の構造と動作原理は第1の実施例と同じである。
本考案において、日常生活中に人が必ず身につける一般構造のパンツを特別な構造に設計することで、行動の不便な人向きの自己適応パンツに形成する。自己適応パンツは、日常生活において行動の不便な人の身につけ、大小便をしようとする時、自己適応パンツ3の底部のクイックコネクタ341によって、ズボン股間の開口を通過して完全自動処理器 2と接続し、ユーザーが主動的に制御（手動又は無線リモートコントロール）し或いは大小便を検出できるセンサーが自動的に自動制御システムを起動して、自己適応パンツが自動的に大小便を受け取る排泄器具に変換するようにし、パンツとズボンの脱ぎはき等の煩雑の調整過程が必要でない。大小便が終わった後、ユーザーが主動的に制御（手動又は無線リモートコントロール）し或いは大小便を検出できるセンサーが自動的に自動制御システムを起動して、自己適応パンツが自動的に行動の不便な人が日常生活中に必ず身につける普通なパンツに変換するようにする。自己適応パンツは平時に身につけており、快適性、身につける過程及び洗濯時間、方法は普通なパンツとほとんど差がないので、ユーザーが大小便をする時他人が助けて便器を脱いだりはいたりする必要がなく、いつでも自分で大小便の完全自動処理器を起動することができて、使いやすく、簡単で快適性がよい。
【００４５】
その中で、ガス注入管35、小便スプレーパイプ36、大便スプレーパイプ36'、小便熱風管37、大便熱風管37'、ガス注入型シールリング39、ガス注入型シールリング39'及びガス注入型シールリング39"の吸気口はそれぞれ互いに接合するクイックコネクタを通じて各管路とクイック接続を形成し、このようにして容易に自己適応パンツ3を置き換える。
【００４６】
完全自動処理器2と自己適応パンツ3は一緒に使用され、制御装置26によって各装置間の動作順番を制御し、具体的には、図11に示すように、制御装置26のデータ採集モジュールの入力ポートにはそれぞれ温度、水位及び圧力等の信号が対応して接続され、該データ採集モジュールの出力ポートは主制御器の相応な入力ポートと接続される。該主制御器はヒューマンコンピュータインタラクションインタフェースを通じてヒューマンコンピュータインタラクションユニットの対応するポートと接続し、本実施例においてはボタン入力モジュールを採用し、該ボタン入力モジュールの出力ポートは該主制御器の対応する入力ポートと接続される。該主制御器の出力ポートはそれぞれアラームモジュール、音声機能モジュール、液晶表示モジュール及び駆動出力モジュールの相応な入力ポートと接続される。該駆動出力モジュールの出力ポートはそれぞれ負圧装置22の真空ポンプ221、正圧装置23、温水装置24のポンプ241及び温水器242、熱風装置25のエアポンプ251及びガスヒーター252、各管路における水バルブ、ガスバルブ、ガス調節バルブ、圧力リリーフバルブ、スペア0、スペア1及びスペア2等の装置を制御する。
【００４７】
図12に示すように、本考案の車椅子型の脱ぎはき不要な糞便自動クリーンアップ装置がヒューマンコンピュータインタラクションユニット261或いはリモートコントロールによって小便を処理するプロセスは以下の通りである。1．稼動した後上記全ての機器に対して3秒間セルフテストを行い、2．「機器準備」を押すと、正圧装置23のエアポンプ即ち正圧ポンプをオープンし、温水装置24の温水器をオープンし、3．「小便開始」を押すと、負圧装置22の真空ポンプ221をオープンし、4．「小便終了」を押すと、第1のプロセスへ入って、温水装置24の温水ポンプをオープンして人体を2秒間洗浄した後、第2のプロセスへ入って、システムは再びフラッシングするか否か？と問い、もし「再びフラッシング」を押すと上記第1のプロセスへ入り、もし再びフラッシングする必要がないと、「7秒間お待ちください」になり、システムは自動的に乾燥プロセスへ入り、5．乾燥プロセスは第1のプロセスへ入って、熱風装置25の熱風ポンプをオープンして3分間乾燥した後、第二プロセスへ入って、システムは再び乾燥するか否か？を問い、もし「再び乾燥」を押すと上記第1のプロセスへ入り、もし「乾燥終了」を押すとクリーニングプロセスへ入り、6．排泄物回収プロセスへ入り、負圧装置22の真空ポンプ221をオフし、7．圧力リリーフプロセスへ入って順次に圧力リリーフバルブをオープンし、2秒間遅延させ、圧力リリーフバルブをオフし臭気を排出し、最後に終了する。
【００４８】
図13に示すように、本考案の車椅子型の脱ぎはき不要な糞便自動クリーンアップ装置が大便を処理するプロセスは以下の通りである。1．稼動した後上記全ての機器に対して3秒間セルフテストを行い、2．「機器準備」を押すと、正圧装置23のエアポンプ即ち正圧ポンプをオープンし、温水装置24の温水器をオープンし、3．「大便開始」を押すと、負圧装置22の真空ポンプ221をオープンし、4．「大便終了」を押すと、第1のプロセスへ入って、温水装置24の温水ポンプをオープンして人体を5秒間洗浄した後、第2のプロセスへ入って、システムは再びフラッシングするか否か？と問い、もし「再びフラッシング」を押すと上記第1のプロセスへ入り、もし再びフラッシングする必要がないと、「7秒間お待ちください」になり、システムは自動的に乾燥プロセスへ入り、5．乾燥プロセスは第1のプロセスへ入って、熱風装置25の熱風ポンプをオープンして3分間乾燥した後、第二プロセスへ入って、システムは再び乾燥するか否か？を問い、もし「再び乾燥」を押すと上記第1のプロセスへ入り、もし「乾燥終了」を押すとクリーニングプロセスへ入り、6．排泄物回収プロセスへ入り、負圧装置22の真空ポンプ221をオフし、7．圧力リリーフプロセスへ入って順次に圧力リリーフバルブをオープンし、2秒間遅延させ、圧力リリーフバルブをオフし臭気を排出し、最後に終了する。
【００４９】
上記実施例と図面は本考案の製品の形態と様式を限定するもとではなく、当業者の上記実施例と図面に対する適切な変化又は修正は、みな本考案の特許請求の範囲に属する。
【符号の説明】
【００５０】
１：車椅子
２：完全自動処理器
３：自己適応パンツ
１１：クッション
１１１：排泄口
１２：シートバック
１５，１６：ガス注入型シールリング
２１：排泄物収集装置
２２：負圧装置
２３：正圧装置
２４：温水装置
２５：熱風装置
２６：制御装置
２１０：排泄物の容器
２１１：カバーパネル
２１２：筐体
２１３：排出通路
２１４：隔壁
２１５：排泄物収集腔
２１６：負圧室
２１７：通気孔
２１８：排泄口
２１９：クイックコネクタ
２２１：真空ポンプ
２４１：ポンプ
２４２：温水器
２５１：エアポンプ
２５２：ガスヒーター
２６１：ヒューマンコンピュータインタラクションユニット
３０：パンツ本体
３１：前部分
３２：後部分
３３：排泄物収集エリア
３３１：お尻突起
３３２：スロットホーム
３３３：チューブ
３３４：入り口
３３５：出口
３４：排泄口
３４１'：クイックコネクタ
３４１：クイックコネクタ
３５：ガス注入管
３６：小便スプレーパイプ
３６'：大便スプレーパイプ
３７：小便熱風管
３７'：大便熱風管
３８，３８'：貼り付け部材
３９，３９'、３９"：ガス注入型のシールリング
３９１，３９１'、３９１"：ガス注入口
【図１】
0003184354.tif 000003
【図２】
0003184354.tif 000004
【図３】
0003184354.tif 000005
【図４】
0003184354.tif 000006
【図５】
0003184354.tif 000007
【図６】
0003184354.tif 000008
【図７】
0003184354.tif 000009
【図８】
0003184354.tif 000010
【図９】
0003184354.tif 000011
【図１０】
0003184354.tif 000012
【図１１】
0003184354.tif 000013
【図１２】
0003184354.tif 000014
【図１３】
0003184354.tif 000015